(57)【特許請求の範囲】
【請求項１】
本体の上面に設けられたプレートと、
このプレート上に載せられた鍋を加熱する加熱手段と、
前記鍋の温度を検出する温度検知素子と、
調理に応じて前記鍋の温度を決定するためのメニュー設定手段と、
前記鍋を加熱する火力を設定する火力設定手段と、
前記メニュー設定手段と火力設定手段によって決定された状態を表示する表示手段と、
前記火力設定手段の近傍に設けられたランプと、
前記温度検知素子によって検知した前記鍋の温度に応じて前記加熱手段の出力を制御する制御手段と、を備え、
前記メニュー設定手段でメニューを選択し、前記鍋の温度がメニューに対応した温度になると前記鍋の予熱が終了したことを前記表示手段に表示するとともに、前記火力設定手段からの入力を促がすように、前記火力設定手段の入力が有るまで前記ランプを点滅させて催促行為をすることを特徴とした誘導加熱調理器。
【請求項２】
請求項１記載の誘導加熱調理器において、
予熱が終了した後は前記鍋の温度を適温に維持する火力で加熱を制御し、
前記火力設定手段より火力が入力されると入力した火力で前記鍋を加熱し、
一定時間内に前記火力設定手段より入力が無い場合、前記鍋の温度を適温に維持する火力による加熱を停止することを特徴とする誘導加熱調理器。
【請求項３】
請求項１記載の誘導加熱調理器において、
前記表示手段は、第１の表示手段と、第２の表示手段から構成されており、
前記第１の表示手段には、前記火力設定手段で入力される火力、または、前記メニュー設定手段で入力されるメニューが表示され、
前記第２の表示手段には、予熱中であるか、または、適温であるかが表示されることを特徴とする誘導加熱調理器。
【請求項４】
請求項１記載の誘導加熱調理器において、
複数の火力に対応した複数の火力設定手段と、
各火力設定手段に対応した複数のランプと、を備えており、
前記火力設定手段からの入力を促がすときには、前記複数のランプを同時に点滅させて催促行為をし、何れかの火力設定手段が操作されたときには、それに対応するランプを点灯するとともに、他の火力設定手段に対応するランプを消灯することを特徴とする誘導加熱調理器。
【発明の詳細な説明】
【技術分野】
【０００１】
本発明は、誘導加熱調理器に関するものである。
【背景技術】
【０００２】
従来、鍋を加熱する加熱調理器としてはガスレンジ等の炎を熱源とする加熱調理器が大多数を占めていた。
【０００３】
近年、住宅用機器を全て電化するといった所謂、オール電化住宅の流れが顕著になりつつある。この一環として、加熱調理器として鍋の渦電流を利用して鍋そのものを発熱させる電磁誘導加熱調理器が見直されている。
【０００４】
電磁誘導加熱調理器は、従来のガスレンジ等の加熱調理器に比べ電子制御による自動温度制御や自動調理などを得意とする調理器である。
【０００５】
例えば特許文献１に示すように、
・炒め物調理するためにフライパンを予熱している場合に、予熱が終了し食材を入れて調理を開始するタイミングを表示手段にて確認することができる。
【０００６】
・鍋を加熱し始めた時、鍋の温度のオーバーシュートを低く抑えることができる。
【０００７】
・空の鍋等を予熱している間は、制御温度が高くかつ火力が強すぎて鍋が熱変形するのを防ぐために、制御手段は選択可能な最大火力を抑えて加熱手段を通電制御する。
【０００８】
・鍋の温度が制御温度に到達したら、前記の設定火力の制限を解除して機器として最大火力を選択できる。
【０００９】
などのように使用者にとって大変使いやすく、使用する鍋等にもいたわりを持った調理器が示されている。
【先行技術文献】
【特許文献】
【００１０】
【特許文献１】特開２００６−１２０５５２号公報
【発明の概要】
【発明が解決しようとする課題】
【００１１】
しかしながら、上記の従来技術において、例えば炒め物をする為にフライパンを予熱し、予熱終了後に食材を炒めようと食材の準備などをしていたが、予熱が終了するまでに食材の準備が出来なかった場合、食材の準備が出来るまでフライパンの加熱を続けるので電力が無駄になるという問題があった。
【００１２】
また、フライパンを予熱し、予熱終了後に食材を炒める場合、予熱時は鍋の熱変形防止のため自動に火力を抑えている状態になっている。そのため予熱が終了して適温後、食材を炒める時は設定火力を「強」に再設定する必要がある。しかし、フライパンに食材を入れて調理に夢中になり設定火力を「強」に設定するのを忘れた場合、火力が弱いために、フライパンの熱が一気に奪われ炒める温度が低下して上手に炒め物が出来ないという問題があった。
【００１３】
さらに、予熱中に調理器の近くに居なかった場合、長時間フライパンを加熱することになり電力が無駄になり、安全性からも問題があった。
【課題を解決するための手段】
【００１４】
本発明は上記の課題を解決するためになされたものであり、本体の上面に設けられたプレートと、このプレート上に載せられた鍋を加熱する加熱手段と、前記鍋の温度を検出する温度検知素子と、調理に応じて前記鍋の温度を決定するためのメニュー設定手段と、前記鍋を加熱する火力を設定する火力設定手段と、前記メニュー設定手段と火力設定手段によって決定された状態を表示する表示手段と、前記火力設定手段の近傍に設けられたランプと、前記温度検知素子によって検知した前記鍋の温度に応じて前記加熱手段の出力を制御する制御手段と、を備え、前記メニュー設定手段でメニューを選択し、前記鍋の温度がメニューに対応した温度になると前記鍋の予熱が終了したことを前記表示手段に表示するとともに、前記火力設定手段からの入力を促がすように、前記火力設定手段の入力が有るまで前記ランプを点滅させて催促行為をする誘導加熱調理器。
【発明の効果】
【００１５】
本発明によれば、予熱終了後は使用者によって火力設定手段より火力が入力されるまで最低限の火力で加熱するので電力の無駄使いを最低限にできる。
【００１６】
また、予熱終了後の最低限の火力で加熱する状態は一定時間で終了するので、鍋を加熱している事を忘れても安全で電力の無駄使いを最低限に抑えることができる。
【００１７】
さらに、予熱終了後、火力設定手段からの入力を促がすように表示手段で火力設定手段の入力が有るまで催促行為をするようにしたので火力設定手段の入力の忘れを防止できる。
【図面の簡単な説明】
【００１８】
【図１】誘導加熱調理器の動作を示すブロック図である。
【図２】ビルトイン型の誘導加熱調理器をシステムキッチンに収納した状態の斜視図である。
【図３】誘導加熱調理器の上面を示す説明図である。
【図４】誘導加熱調理器のプレートを取外した説明図である。
【図５】上面操作部右と上面表示部右を示す説明図である。
【図６】炒めもので予熱中の上面操作部右と上面表示部右の状態を示す説明図である。
【図７】炒めもので適温の上面操作部右と上面表示部右の状態を示す説明図である。
【図８】炒めている最中の上面操作部右と上面表示部右の状態を示す説明図である。
【図９】鍋底の検出温度と火力の関係を示した説明図である。
【図１０】鍋底の検出温度と火力の関係を示した説明図である。
【発明を実施するための形態】
【００１９】
以下、本発明の実施例を添付図面に従って説明する。
【００２０】
図１は本発明の誘導加熱調理器の動作の一実施例を示すブロック図である。
【００２１】
２６が被加熱物の金属性の鍋である。１３が鍋を加熱するための加熱コイルで、加熱コイル１３の巻線は表皮効果を抑制するためリッツ線を採用している。１８が鍋２６を加熱するために加熱コイル１３に数十ｋＨｚ、数百Ｖの電圧が印加するインバータ回路１８で、加熱コイル１３とインバータ回路１８を合わせて加熱手段２３と呼ぶ。ここでは加熱手段２３の一例として誘導加熱方式を説明するが、誘導加熱方式に限定するものではない。２０が鍋２６の温度を検出するための温度検知素子で、検出温度によって抵抗値が変化するサーミスターや鍋２６が発生する赤外線を検出して温度を検出する赤外線センサなどが使われる。３４がメニュー設定手段で事前に組み込まれている複数の自動メニューの中から使用するメニューを選択するものである。３１が火力設定手段で使用者が好みに応じて火力を調節できるものである。１７が表示手段でメニュー設定手段３４で選択するメニューの表示，自動調理の進行状態などの表示，火力設定手段３１の設定内容を表示するものである。１９は制御手段でメニュー設定手段３４で入力したメニューを事前に組み込まれた手順やルールに基づいて火力の制御や加熱時間や鍋２６の温度を決められた温度になるように温度検知素子２０の検出温度をもとに加熱手段２３を制御し鍋２６を加熱したり、火力設定手段３１で入力された火力で鍋２６を加熱するように加熱手段２３を制御したり、メニュー設定手段３４で入力されたメニューや調理の進行状況や火力設定手段３１で入力された内容を表示手段１７に表示したりするものである。
【００２２】
図２から図４は本発明のシステムを組み込んだ誘導加熱調理器の一実施例を示している。
【００２３】
図２はビルトイン型の誘導加熱調理器をシステムキッチンに収納した状態の斜視図である。図３は誘導加熱調理器の上面を示す説明図である。図４は誘導加熱調理器のプレートを取外した説明図である。
【００２４】
尚、本実施例は、キッチンに嵌め込むビルトイン型でなく、キッチンに載置する据置型の加熱調理器であっても差し支えない。
【００２５】
加熱調理器の本体２は、システムキッチン１の上面から落とし込んで設置することで組み込まれる。設置後は後述するロースター（グリル）４と操作部パネル５がシステムキッチン１の前面部から操作できるようになっている。
【００２６】
調理を行う際の鍋は、本体２の上面に配置された耐熱ガラス等からなるプレート３上に載置される。
【００２７】
鍋は、プレート３に描かれた載置部６に載置されることで調理可能となる。載置部６は、本体２上面のプレート３の上面手前に載置部右６ａと載置部左６ｂが配置され、これら両載置部６ａおよび６ｂの間の奥（中央後部）に載置部中央６ｃが配置されている。そして、プレート３を挟んで各載置部６の下に鍋を加熱するための加熱コイル１３がそれぞれ設置されている。
【００２８】
載置部中央６ｃは位置的に調理者の手の届きにくい場所である。このため、手前の載置部右６ａ，載置部左６ｂに調理鍋が置かれた状態で、載置部中央６ｃ部に手を伸ばすと、載置部右６ａ，載置部左６ｂに置かれた調理鍋から調理中に発生する蒸気により、載置部中央６ｃで手を動かす調理は行いにくい。したがって、載置部中央６ｃで行う調理の種類は調理者があまり手を動かさなくても良い料理、主に煮込みや保温などの調理に適している。また、煮込みや保温は火力も弱くて済み、最大消費電力にも限りがあることから、載置部中央６ｃに設置する加熱コイル１３ｃの火力を、載置部右６ａ及び載置部左６ｂに対応して設置されている加熱コイル右１３ａ及び加熱コイル左１３ｂより弱くし消費電力が小さくなるよう設定されている。
【００２９】
本体２内部には、後述する加熱コイル１３やインバータ基板が設けられており、これらを冷却するために本体２の外部から空気を吸込むための吸気口７が設けられている。
【００３０】
吸気口７で吸入した空気は、本体２内部で発熱する加熱コイル１３やインバータ基板を冷却した後、冷却風の流れ１６に示すように排気口８から本体２外に排出される。また、この排気口８からは、後述するロースター４の廃熱も同時に排出される。
【００３１】
ロースター４は魚やピザ等を焼くためのもので、本体２前面部の左側もしくは右側に配置されている。本実施例では本体２前面に向かって左に配置されている。また、魚焼き専用ではないので、このロースター４をグリル若しくはオーブンと呼ぶこともある。
【００３２】
次に加熱コイルユニット２５について説明する。加熱コイルユニット２５は、加熱コイル１３とコイルベース２４とフェライト（図示せず）から構成されている。加熱コイルユニット２５は、各載置部６のプレート３の下方であって、プレート３と加熱コイル１３との間に一定の隙間が開くように設置されている。この隙間に冷却風を流して、発熱する加熱コイル１３や加熱された鍋からの熱から加熱コイル１３などを守っている。
【００３３】
コイルベース２４は、加熱コイル１３を下から固定すると共に、コイルベース２４にはフェライト（図示せず）が埋設されている。
【００３４】
各加熱コイルユニット２５は夫々の載置部６の下方に配置され、載置部右６ａの下方には加熱コイルユニット右２５ａが、載置部左６ｂの下方には加熱コイルユニット左２５ｂが、載置部中央６ｃの下方には加熱コイルユニット中央２５ｃが設けられている。
【００３５】
自動調理など鍋の温度検知は、加熱コイルユニット２５に設置された温度検知素子２０である温度検知素子Ａ２１と温度検知素子Ｂ２２により行われる。温度検知素子２０は鍋底の温度を検出するためにプレート３に押し付け、鍋底の温度をプレート３を介して間接的に検出している。温度検知素子Ａ２１は加熱コイルユニット右２５ａと加熱コイルユニット左２５ｂの各加熱コイル１３のコイル間に設置し、温度検知素子Ｂ２２は加熱コイルユニット右２５ａと加熱コイルユニット左２５ｂと加熱コイルユニット中央２５ｃの各加熱コイル１３のコイル中央に設置している。鍋には、底の中央が浮いているものが有るので、火力の大きい加熱コイルユニット右２５ａと加熱コイルユニット左２５ｂには温度検知素子２０を２ヶ所設けている。
【００３６】
基板ケース１５内には加熱コイル１３を励磁するインバータ回路１８や温度検知素子２０により検知した温度に応じて加熱手段２３への出力を制御する制御手段１９等の回路が納められている。
【００３７】
上面操作部９は載置部右６ａ側の加熱コイル右１３ａの火力等を入力する上面操作部右９ａと載置部左６ｂ側の加熱コイル左１３ｂの火力等を入力する上面操作部左９ｂと載置部中央６ｃ側の加熱コイル１３ｃの火力等を入力する上面操作部中央９ｃから成っている。
【００３８】
上面表示部１０は上面操作部９の各操作部に対応して上面表示部右１０ａ，上面表示部左１０ｂ，上面表示部中央１０ｃと配置され、各操作部で入力された内容を表示する。
【００３９】
次に、図５は上面操作部右９ａと上面表示部右１０ａを示す説明図である。上面操作部右９ａと上面表示部右１０ａを使用して表示手段１７と火力設定手段３１とメニュー設定手段３４の詳細な説明をする。
【００４０】
上面操作部右９ａと上面表示部右１０ａ，上面操作部左９ｂと上面表示部左１０ｂ，上面操作部中央９ｃと上面表示部中央１０ｃの本発明に関する内容は同じなので上面操作部左９ｂと上面表示部左１０ｂ，上面操作部中央９ｃと上面表示部中央１０ｃ側の説明は省略する。
【００４１】
上面表示部右１０ａは、夫々表示４１ａと表示４１ｂに分けられ、表示４１ａは火力設定手段３１で入力される火力やメニュー設定手段３４で入力されるメニュー等が表示される。表示４１ｂにはメニュー設定手段３４で入力されたメニューで、鍋やフライパンを予熱して、鍋やフライパンの温度が適温に達した時に食材の投入タイミングを知らせることが出来るように「予熱中」と「適温」の表示を行う。
【００４２】
ランプ３５〜４０はＬＥＤ等からなり、ランプ３５は後述する切・スタートキー３０が押され加熱開始が入力されると点灯する。ランプ３６〜３９は後述する火力設定手段３１で設定した火力のランプが点灯する。また、後述する自動調理で火力の設定をするように促がすためにランプ３６〜３９を同時に点滅して知らせる。ランプ４０は火力調整手段が有効時に点滅して知らせる。
【００４３】
ここでは表示４１ａと表示４１ｂとランプ３５〜４０を表示手段１７とする。
【００４４】
火力設定手段３１で設定できる火力は「とろ火」キー３１ａ，「弱火」キー３１ｂ，「中火」キー３１ｃ，「強火」キー３１ｄの四段階に分かれ、必要な火力を一回の操作で入力できるように火力に応じて個別にキーが設けられている。各火力の目安は、例えば最大で１２段階の火力を設けた場合、各火力と消費電力の関係は、「１」段階は１００Ｗ相当、「２」段階は２００Ｗ相当、「３」段階は３００Ｗ、「４」段階は４００Ｗ、「５」段階は５００Ｗ、「６」段階は８００Ｗ、「７」段階は１.１ｋＷ、「８」段階は１.４ｋＷ、「９」段階は１.６ｋＷ、「１０」段階は２ｋＷ、「１１」段階は２.５ｋＷ、「１２」段階は３ｋＷである。各段階の数字は表示４１ａに火力の目安として表示する数字である。また、四段階の火力表示と１２段階表示の関係は、「とろ火」は「１」、「弱火」は「２」，「３」，「４」，「５」、「中火」は「６」，「７」，「８」、「強火」は「９」，「１０」となり、火力設定手段３１のキーには設けていないが「ハイパワー」として「１１」，「１２」が割り当てられる。火力設定手段３１は四段階の火力の代表的な火力に直接入力できるように、「とろ火」キー３１ａは「１」、「弱火」キー３１ｂは「４」、「中火」キー３１ｃは「７」、「強火」キー３１ｄは「１０」の火力を入力できる。
【００４５】
火力調整手段３２は、火力設定手段３１で入力できない火力、例えば火力「９」を入力する場合、まず「中火」キー３１ｃにより火力を「７」に入力し、次に、火力調整ＵＰキー３２ｂを二回押すと、表示４１ａに表示されていた火力を示す数字が「７」から「８」、「８」から「９」へと変更され、火力が強火「９」に成ったことを示す。
【００４６】
ちなみに、次に火力調整ＤＯＷＮキー３２ａを押すと火力が「９」から「８」と下げることができる。
【００４７】
３３は主に煮込みや保温などタイマー調理を実施するときに加熱時間を選択するタイマーキーである。
【００４８】
メニュー設定手段３４は自動調理の炊飯，揚げもの，湯沸し，炒めもの等を選択するためのもので、メニュー設定手段３４を押すことで表示４１ａにメニューが表示され、メニュー設定手段３４を押すたびにメニューが切り替わり表示される。これによって使用するメニューを選択する。
【００４９】
４８は調理の開始や停止するための切・スタートキーである。
【００５０】
本実施例は以上の構成よりなるもので、次にその動作について図６〜図１０を使用して説明する。図６〜図８は自動調理時の上面操作部と上面表示部の表示例である。図９，図１０は鍋底の検出温度と火力と操作の関係を示した図である。
【００５１】
例えば、使用者が野菜の炒めものを調理する場合、使用者は加熱に使用する載置部にフライパンを置いて、表示４１ａを見ながらメニュー設定手段３４を押し返してメニューを「炒めもの」を選択する。メニューを選択するとランプ３５が点滅して切・スタートキー３０が有効になったことを知らせる。切・スタートキー３０を押すことで調理が開始され、ランプ３５が点滅から点灯になり調理中（予熱中）であることを示す。そして、現在フライパンを予熱中であることを示す表示が表示手段４１ｂに「予熱中」と表示が点灯する。この時の表示４１とランプ３５〜ランプ４０の状態を図６に示す。
【００５２】
次にフライパンの加熱が進行し、フライパンの鍋底の検出温度が適温範囲に近づいたら、フライパンの温度のオーバーシュートを少なくするために火力を弱くし（図９（ａ），図１０（ａ））、適温範囲にフライパンの検出温度が達したら適温を使用者に知らせる。そのため表示４１ｂの「予熱中」の表示を「適温」と表示し直し、他にブザーや音声により適温になったことを知らせる。
【００５３】
そして、フライパンに炒める食材を入れ火力設定手段３１で火力を入力するように表示手段１７のランプ３６〜ランプ３９の四ヶ所のランプを同時に点滅して催促行為をする。ランプ３５は消灯している。
【００５４】
適温後（図９（ｂ），図１０（ｂ））の火力は、フライパンの温度を維持するために最低限の火力で加熱を制御している状態で、火力は前記記載の火力の「１」〜「６」段階の間でフライパンの検出温度に応じて火力を制御する。
【００５５】
もし、このまま火力設定手段３１より火力が入力されなければ一定時間、例えば３分で自動的に加熱手段２３の通電を終了してフライパンの加熱を止めてしまう（図１０（ｃ））。また、食材をフライパンに入れて調理を進めた場合、調理に夢中になり火力設定手段３１からの火力の入力を忘れた場合は、適温後の火力は最低限の火力による加熱で制御している状態なので炒めものが上手にできない。
【００５６】
この時の表示４１とランプ３５〜ランプ４０の状態を図７に示す。
【００５７】
次に、火力設定手段３１で「強火」を入力するとランプ３９が点灯し、ランプ３５が点滅して切・スタートキーを入力するように指示する。この時、表示４１ｂに表示していた「適温」表示は消灯し、表示４１ａに入力された火力の段階「１０」が表示される。そして切・スタートを入力するとランプ３５が点灯になり火力が段階「１０」の２ｋＷでフライパンの加熱を開始する。その後、食材をフライパンに入れて調理を開始する。説明では火力設定手段３１の火力の入力後に食材を入れる説明をしたが、食材を先に入れてから火力設定手段３１により火力の入力を行ってもよい。但し、その時の火力はフライパンの温度を維持するための最低限の火力で加熱を制御している状態なので、そこに食材を入れると急激にフライパンの温度が下がってしまう。理想的には、火力の入力を終了しフライパンの火力を希望の設定にしてから食材を入れる方が上手に食材を炒めることができる。
【００５８】
この時の表示４１とランプ３５〜ランプ４０の状態を図８に示す。
【００５９】
以上の流れに沿って加熱時間の経過と鍋底の検出温度と火力の関係と火力設定後の火力の関係を図９に示す。
【００６０】
また、予熱が終わり適温にまでに食材の準備が出来なかった場合や、適温後フライパンに食材を入れて調理に夢中になり火力設定手段３１から火力の入力を忘れた場合、一定時間は鍋の温度を適温に維持するように最低限の火力で加熱を制御し、一定時間後はフライパンの加熱を終了する。その場合の加熱時間の経過と鍋底の検出温度と火力の関係を図１０に示す。
【００６１】
以上、炒めものの工程を説明したが全工程において、温度検知素子２０によって調理の制御温度以外に常にフライパンの温度を検知し、異常加熱によって発煙や発火、フライパンが高温で変形しないように制御手段１９により温度制御を行い安全にも十分に対応している。
【００６２】
本発明によれば、予熱終了後は使用者によって火力設定手段より火力が入力されるまで最低限の火力で加熱するので電力の無駄使いを最低限にできる。
【００６３】
また、予熱終了後の最低限の火力で加熱する状態は一定時間で終了するので、鍋を加熱している事を忘れても安全で電力の無駄使いを最低限に抑えることができる。
【００６４】
さらに、予熱終了後、火力設定手段からの入力を促がすように表示手段で火力設定手段の入力が有るまで催促行為をするようにしたので火力設定手段の入力の忘れを防止できる。
【符号の説明】
【００６５】
３  プレート
９  上面操作部
１０  上面表示部
１３  加熱コイル
１９  制御手段
２０  温度検知素子
３１  火力設定手段
３４  メニュー設定手段
【図１】
0005378573.tif 000002
【図２】
0005378573.tif 000003
【図３】
0005378573.tif 000004
【図４】
0005378573.tif 000005
【図５】
0005378573.tif 000006
【図６】
0005378573.tif 000007
【図７】
0005378573.tif 000008
【図８】
0005378573.tif 000009
【図９】
0005378573.tif 000010
【図１０】
0005378573.tif 000011